(57)【要約】      （修正有）【課題】箱を製作するための折り紙であって、折る位置の目安となるガイド線をあらかじめ紙に印刷し、誰でも正確に位置通り早く折ることができるとともに、箱以外の用途にも汎用できるよう、ガイドを最小限に備える折り紙を提供する。【解決手段】外箱と内箱からなる箱を作る折り紙であって、内箱用の折り紙用紙は一の面において、二本の長辺に縁中央にガイド二重線を備え、二本の短辺には縁に短辺の角側から中央方向へ等間隔で二本のガイド矢印を備え、一方の短辺のガイド矢印と他方のガイド矢印の間には、長辺に沿って平行に幅がそれぞれ等間隔に設けた二本のガイド小線を備え、外箱用の折り紙用紙は一の面において、内箱用の折り紙用紙の一の面をそっくりそのまま包含し、かつ、折る位置のガイドとして、ガイド矢印、ガイド二重線、ガイド小線を利用して折り畳みを進めていくことにより、外箱と内箱とが形成される。【選択図】図１
0003226827.tif 000002
【実用新案登録請求の範囲】
【請求項１】
外箱と内箱とからなる箱を作るための二枚の矩形の折り紙用紙において、
前記内箱用の折り紙用紙は縦横のいずれかが長い矩形の折り紙用紙であって、一の面において、二本の長辺には縁中央にガイド二重線を備え、二本の短辺には縁に該短辺の角側から中央方向へ等間隔で二本のガイド矢印を備え、一方の短辺の該ガイド矢印は、他方の短辺の該ガイド矢印と矢印が対向するよう配置され、さらに、前記一方の短辺の前記ガイド矢印と前記他方の前記ガイド矢印の間には、前記長辺に沿って平行に幅がそれぞれ等間隔に設けた二本のガイド小線を備え、
前記外箱用の折り紙用紙は正方形の折り紙用紙であって、一の面は、前記内箱用の折り紙用紙の前記一の面をそっくりそのまま包含し、かつ、該中心は前記内箱用の折り紙用紙の中心と同一とし、該一の辺は前記内箱用の折り紙用紙の一の辺と平行であり、
折る位置のガイドとして、前記ガイド矢印、前記ガイド二重線、前記ガイド小線、を利用して折り畳みを進めていくことにより、前記外箱と前記内箱とが形成されることを特徴とする二枚の矩形の折り紙用紙。
【請求項２】
前記内箱用の折り紙用紙を前記折る位置のガイドを利用して折り畳むことにより、前記内箱に引手部が形成されることを特徴とする請求項１に記載する二枚の矩形の折り紙用紙。
【考案の詳細な説明】
【技術分野】
【０００１】
本考案は、引出しを作る折り紙に関し、特に、身体障がい者や知的障がい者でも簡単かつ綺麗に完成させることができる折り紙に関する。
【背景技術】
【０００２】
従来、折り紙は、例えば正方形の紙を次々に折り畳むことにより、折り鶴などが完成する遊具として広く知られている。折り紙を折るには、一般に、折り紙を折り進める工程が図面入りで解説されたマニュアル等を参照しながら、このマニュアルにしたがって折り進め、最終的に目的の造形物を完成させたり、折り方を記憶している人から折り順等を教わりながら折り進めて完成させたりする。
【０００３】
しかしながら、身体障がい者や知的障がい者には、折るという作業が難しいことが少なくない。例えば、紙をまっすぐに折ることや角同士をあわせることが苦手であったりするからである。
【０００４】
このような課題の解決については、いくつかの提案がなされている。
まず、特許文献１に係る考案においては、折り紙に、折る場所を示す折り線と、折る順番を示す数字やマークが表示されたものが提案されており、手指の力がある程度あり、折る作業は問題なくできるという場合、この折り紙を使えば、折る順番で迷うことなく、作品を完成させることができる。
特許文献２の考案には、紙面上に現れる折り案内にしたがって折り畳み操作を進めていくことにより所望の形状が具象化される折り紙が提案されており、折り案内は、折り位置および折り目の種類を表わす折り線と、該折り線の近傍に位置し、折り畳み操作の順序を示す折り順とからなり、折り線および折り順は、時間の経過とともに消色するインキにより印刷されていることを特徴とするものである。
特許文献３の考案には、折り紙に、切り込み又は小穴を直線上に複数設けたガイド線と、ガイド線を挟んで、該ガイド線から直交方向に等距離の位置に対になるよう表示された１対のガイドマークと、からなる折り紙が開示されている。
【先行技術文献】
【特許文献】
【０００５】
【特許文献１】特開２０１２−６１０１５号公報
【特許文献２】実用新案登録第３０８５０３５号公報
【特許文献３】実用新案登録第３２１４０４６号公報
【考案の概要】
【考案が解決しようとする課題】
【０００６】
ところが、特許文献１に開示されている折り紙においては、折り紙に、折る場所を示す折り線と、折る順番を示す数字やマークが表示されているため、完成品の一部にこれらの表示が顕れるような作品の場合には、見栄えが悪いという問題がある。
また、特許文献２に開示されている折り紙は、折り線および折り順は、時間の経過とともに消色するインキにより印刷されているので、特許文献１のような見栄えの悪さという問題は解決するものの、折り紙を折るタイミングが遅くなれば、折り紙を折る時点ですでに折り線や折り順が消えてしまっている場合もありうるという問題がある。
特許文献３に開示されている折り紙は、切込みや小穴があるため、作品の見栄えに問題が生じる場合がある。
【０００７】
本考案は、このような問題に鑑み、箱を製作するための折り紙であって、折る位置の目安となるガイド線をあらかじめ紙に印刷し、誰でも正確に位置通り早く折ることができるとともに、箱以外の用途に汎用できるよう、ガイドを最小限にした折り紙を提供することを目的とする。
【課題を解決するための手段】
【０００８】
本考案は、上記問題を解決するために、外箱と内箱とからなる箱を作るための二枚の矩形の折り紙用紙において、
内箱用の折り紙用紙は縦横のいずれかが長い矩形の折り紙用紙であって、一の面において、二本の長辺には縁中央にガイド二重線を備え、二本の短辺には縁に該短辺の角側から中央方向へ等間隔で二本のガイド矢印を備え、一方の短辺の該ガイド矢印は、他方の短辺の該ガイド矢印と矢印の向きが対向するよう配置され、さらに、一方の短辺のガイド矢印と他方のガイド矢印の間には、長辺に沿って平行に幅がそれぞれ等間隔に設けた二本のガイド小線を備え、
外箱用の折り紙用紙は正方形の折り紙用紙であって、一の面は、内箱用の折り紙用紙の一の面をそっくりそのまま包含し、かつ、該中心は内箱用の折り紙用紙の中心と同一とし、該一の辺は内箱用の折り紙用紙の一の辺と平行であり、
折る位置のガイドとして、上述したガイド矢印、ガイド二重線、ガイド小線を利用して折り畳みを進めていくことにより、外箱と内箱とが形成されることを特徴とする。なお、内箱用の折り紙用紙は、折る位置のガイドを利用して折り畳むことにより、内箱に引手部が形成される。
【考案の効果】
【０００９】
本考案に係る折り紙は、健常者のみならず、身体障がいや知的障がいを抱えた人でも正確に折ることができるという効果がある。また、当該折り紙を折って完成した箱は、折り紙玩具として家庭で楽しむことができるだけでなく、不要な折り目が現れず、意匠として美観を呈するので、商品化することも可能である。例えば、透明な球に入れて「ガチャガチャ」と言われる商品とすることができる。
【００１０】
さらに、ガイドとなる矢印や線は最小限であるので、箱以外の作品を製作することも可能である。
【図面の簡単な説明】
【００１１】
【図１】本考案に係る２枚の折り紙用紙を折って完成した箱を示す図である。
【図２】本考案に係る外箱用の折り紙用紙の裏面と表面を示す図である。
【図３】本考案に係る内箱用の折り紙用紙の裏面と表面を示す図である。
【図４】本考案に係る外箱に使用する折り紙用紙を折って、箱の蓋を完成させるための折り目を加える一の手順を示す図である。
【図５】本考案に係る外箱に使用する折り紙用紙を折って、箱の蓋を完成させるための折り目を加える一の手順を示す図である。
【図６】本考案に係る外箱に使用する折り紙用紙を折って、箱の蓋を完成させるための折り目を加える一の手順を示す図である。
【図７】本考案に係る外箱に使用する折り紙用紙を折って、箱の蓋を完成させるための折り目を加える一の手順を示す図である。
【図８】本考案に係る外箱に使用する折り紙用紙を折って、箱の蓋を完成させるための折り目を加える一の手順を示す図である。
【図９】本考案に係る内箱に使用する折り紙用紙を折って、箱の蓋を完成させるための折り目を加える一の手順を示す図である。
【図１０】本考案に係る内箱に使用する折り紙用紙を折って、箱の蓋を完成させるための折り目を加える一の手順を示す図である。
【図１１】本考案に係る内箱に使用する折り紙用紙を折って、箱の蓋を完成させるための折り目を加える一の手順を示す図である。
【図１２】本考案に係る内箱に使用する折り紙用紙を折って、箱の蓋を完成させるための折り目を加える一の手順を示す図である。
【図１３】本考案に係る内箱に使用する折り紙用紙を折って、箱の蓋を完成させるための折り目を加える一の手順を示す図である。
【考案を実施するための形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１は、本考案に係る２枚の折り紙用紙１、２を折って完成した箱ＸＹを示す図である。図１（ａ）は、完成した箱ＸＹ、図１（ｂ）は、完成した外箱Ｘに、内箱Ｙを矢印方向に挿入する様子を示している。図１（ａ）及び（ｂ）に示すとおり、内箱Ｙには、内箱Ｙの出し入れをするための引手部Ｙｄが形成されている。なお、後述するとおり、折り紙用紙１、２には、それぞれ表面１１、２１と裏面１０、２０があり、表面１１、２１を示す部分（実線で囲まれた範囲）に星の印を記載して、裏面１０、２０と区別して示している。
【００１５】
図２を参照する。図２（ａ）は、本考案に係る外箱Ｘ用の折り紙用紙の裏面１０、図２（ｂ）は表面１１を示す図である。
図２（ａ）に示すとおり、外箱用の折り紙用紙は正方形の折り紙用紙であって、外箱Ｘ用の折り紙用紙１の裏面１０は、後述する内箱Ｙ用の折り紙用紙の裏面２０をそっくりそのまま包含する。すなわち、外箱Ｘ用の折り紙用紙１の裏面１０は、内箱Ｙ用の折り紙用紙の外枠である枠線１０４ａ、１０４ｂ、１０４ｃ、１０４ｄを備えている。そして、二本の枠線１０４ａ、１０４ｃには縁中央にガイド二重線１０２ａ、１０２ｂを備え、二本の枠線１０４ｂ、１０４ｄには縁に該短辺の角側から中央方向へ等間隔で四本のガイド矢印１０１ａ、１０１ｂ、１０１ｃ、１０１ｄを備える。なお、一方の枠線１０４ｂの該ガイド矢印１０１ａ、１０１ｃは、それぞれ他方の枠線１０４ｄの該ガイド矢印１０１ｂ、１０１ｄと矢印の向きが対向するよう配置される。さらに、一方の枠線１０４ｂのガイド矢印１０１ａ、１０１ｃと一方の枠線１０４ｄのガイド矢印１０１ｂ、１０１ｄの間には、それぞれ二本の枠線１０４ａ、１０４ｃに沿って平行に幅がそれぞれ等間隔に設けた四本のガイド小線１０３ａ、１０３ｃ、１０３ｂ、１０３ｄを備える。
以上のとおり、本考案に係る折り紙用紙１について、折る位置のガイドとして、ガイド二重線１０２ａ、１０２ｂ、ガイド矢印１０１ａ、１０１ｂ、１０１ｃ、１０１ｄ、ガイド小線１０３ａ、１０３ｃ、１０３ｂ、１０３ｄを利用して折り畳みを進めていくことにより、外箱Ｘが形成される。
【００１６】
図３（ａ）は、本考案に係る内箱Ｙ用の折り紙用紙の裏面２０、図３（ｂ）は表面２１を示す図である。
図３（ａ）に示すとおり、内箱Ｙ用の折り紙用紙１は縦横のいずれかが長い矩形の折り紙用紙であって、その裏面２０は、その長辺には縁中央にガイド二重線２０２ａ、２０２ｂを備え、短辺には縁に該短辺の角側から中央方向へ等間隔で四本のガイド矢印２０１ａ、２０１ｂ、２０１ｃ、２０１ｄを備える。なお、一方の短辺の該ガイド矢印２０１ａ、２０１ｃは、それぞれ他方の短辺の該ガイド矢印２０１ｂ、２０１ｄと矢印の向きが対向するよう配置される。さらに、一方の短辺のガイド矢印２０１ａ、２０１ｃと他方のガイド矢印２０１ｂ、２０１ｄの間には、それぞれ長辺に沿って平行に幅がそれぞれ等間隔に設けた四本のガイド小線２０３ａ、２０３ｃ、２０３ｂ、２０３ｄを備える。
以上のとおり、本考案に係る折り紙用紙２について、折る位置のガイドとして、ガイド二重線２０２ａ、２０２ｂ、ガイド矢印２０１ａ、２０１ｂ、２０１ｃ、２０１ｄ、ガイド小線２０３ａ、２０３ｃ、２０３ｂ、２０３ｄを利用して折り畳みを進めていくことにより、内箱Ｙが形成される。
【００１７】
図４ないし８を参照する。図４ないし８は、それぞれ、本考案に係る外箱Ｘに使用する折り紙用紙１を折って、外箱Ｘを完成させるための折り目を加える手順を示す図である。以下、その手順を詳細に示す。
【００１８】
図４を参照する。まず、折り紙用紙１を表面１１（図２（ｂ）の状態）にして、裏面１１のガイド矢印１０１ａ、１０１ｂとガイド小線１０３ａ、１０３ｂを折り目に山折りする（図４（ａ））。同様に、ガイド矢印１０１ｃ、１０１ｄとガイド小線１０３ｃ、１０３ｄを折り目に山折りする（図４（ｂ））。そうすると、裏面１１に図４（ｃ）に示す折り線Ａ、Ｂが付される。
【００１９】
図５を参照する。図５においては、折り紙用紙１を裏面１０（図２（ａ）の状態）にして、図面に向かって裏面１０の下辺を、ガイド二重線１０２ａ、１０２ｂの下側の線に合わせて折る（図５（ａ））。同様に、図面に向かって裏面１０の上辺を、ガイド二重線１０２ａ、１０２ｂの上側の線に合わせて折る（図５（ｂ））。そうすると、裏面１０に図５（ｃ）に示す折り線Ｃ、Ｄが付される。
図６を参照する。折り紙用紙１を裏面１０（図５（ｃ）の状態）にして、図面に向かって裏面１０の下辺を、折り線Ｃに合わせて折る（図６（ａ））。同様に、図面に向かって裏面１０の上辺を、折り線Ｄに合わせて折る（図６（ｂ））。そうすると、裏面１０に図６（ｃ）に示す折り線Ｆ、Ｅが付される。
【００２０】
図４ないし６の手順により、折り紙用紙１の裏面１０に折り線Ａ、Ｂ、Ｃ、Ｄ、Ｅ、Ｆが付された状態であるが、裏面１０の四隅を折り線Ａ、Ｂに合わせて三角に折る（図７（ａ））。次に、折り線Ａの右側部分を折り線Ａで谷折りする（図７（ｂ））。そして、折り線Ｂの左側部分を折り線Ｂで谷折りする（図７（ｃ））。図７（ｄ）は、図７（ｃ）を裏向けにした状態を示す図である。
【００２１】
図８を参照する。図８（ａ）は、図７（ｃ）と同一であるが、裏面１０についた、点線で示す折り線を山折りして、両端を合わせ、一方の端を他方の端に差し込むと、図８（ｂ）に示す外箱Ｘが完成する。このとき、たるみが出ないように留意されたい。なお、図８（ａ）において示す符号Ｘ０１とＸ０２は、図８（ｂ）に示す上面となり、Ｘ２は底面となり（図８（ｂ）において図示していない）、Ｘ１１とＸ１２は側面となる。
【００２２】
図９ないし１３を参照する。図９ないし１３は、それぞれ、本考案に係る内箱Ｙに使用する折り紙用紙２を折って、内箱Ｙを完成させるための折り目を加える手順を示す図である。以下、その手順を詳細に示す。
【００２３】
図９を参照する。まず、折り紙用紙２を表面２１（図３（ｂ）の状態）にして、裏面２１のガイド矢印２０１ａ、２０１ｂとガイド小線２０３ａ、２０３ｂを折り目に山折りする（図９（ａ））。同様に、ガイド矢印２０１ｃ、２０１ｄとガイド小線２０３ｃ、２０３ｄを折り目に山折りする（図９（ｂ））。そうすると、裏面２１に図９（ｃ）に示す折り線Ｇ、Ｈが付される。
【００２４】
図１０を参照する。図９と同様に、折り紙用紙２を表面２１（図３（ｂ）の状態）にして、図面に向かって裏面２１の下辺を、ガイド二重線２０２ａ、２０２ｂの下側の線に合わせて山折りする（図１０（ａ））。同様に、図面に向かって裏面２１の上辺を、ガイド二重線２０２ａ、２０２ｂの上側の線に合わせて山折りする（図１０（ｂ））。そうすると、裏面２１に図１０（ｃ）に示す折り線Ｉ、Ｊが付される。
【００２５】
図９及び１０の手順により、折り紙用紙２の裏面２０に折り線Ｇ、Ｈ、Ｉ、Ｊが付された状態であるが、裏面２０の図面に向かって下辺を折り線Ｊに合わせて谷折りする（図１１（ａ））。そして、さらに該下辺を折り線Ｊで谷折りし、谷折りした下辺の図面に向かって左端を三角に山折りする。上辺についても同様の手順で折り線Ｉに合わせて谷折りし、さらに折り線Ｉで谷折りし、図面に向かって右端を山折りすると、図１１（ｂ）に示す状態になる。図１１（ｃ）は図１１（ｂ）を裏向けた状態を示す。図１１（ｃ）に示す上辺と下辺を、図１１（ｂ）に示したガイド二重線２０２ａ、２０２ｂに合わせて折ると図１１（ｄ）の状態となり、図１１（ｃ）に折り線Ｋ、Ｌが付される。
【００２６】
図１２及び１３を参照する。図１１（ｃ）の状態の折り紙を、折り線Ｇで山折りした状態が図１２（ａ）に示す状態である。図に示していないが、同様に折り線Ｈで山折りし、図１２（ｂ）の状態に戻す。折った紙を開き、折った折り目をもう一度しっかり折る。図１３（ａ）に示すように、折ったところをいったん開き、左端で三角を作る（図１２（ｃ））。図示していないが、右端でも同様である。なお、図１２（ｃ）、（ｄ）、（ｅ）に示す一点鎖線は、折った部分の角が立った状態を示している。折り目をつけたら（図１３（ｂ）、（ｃ）、（ｄ））、いったん開き（図１３（ｅ））、三角を先、次に角を合わしながら一方を入れ込み、最後に端を入れ込むと、引手部Ｙｄが形成された内箱Ｙが完成する。（図１３（ｆ）、図１２（ｅ））。
【００２７】
こうして、図１に示した、完成した外箱Ｘ、完成した内箱Ｙを合わせた箱ＸＹが完成する。完成した箱ＸＹには、不要な折り目が現れず、意匠として優れる。
【００２８】
以上、本考案に係る折り紙用紙における好ましい実施形態を図示して説明してきたが、本考案の技術的範囲を逸脱することなく種々の変更が可能であることは理解されるであろう。
【産業上の利用可能性】
【００２９】
本考案に係る折り紙用紙を折って完成した箱は、不要な折り目が現れないので、折り紙玩具として家庭で楽しむだけでなく、例えば、透明な球状ケースに入れて「ガチャガチャ」と呼ばれる玩具の商品として販売する等利用することができる。また、ガイドとなる線は最小限であるので、箱以外の作品を製作することも可能である。
【符号の説明】
【００３０】
１  外箱用折り紙用紙
１０  外箱用折り紙の裏面
１１  外箱用折り紙の表面
１０１ａ  １０１ｂ  １０１ｃ  １０１ｄ  ガイド矢印
１０２ａ  １０２ｂ  ガイド二重線
１０３ａ  １０３ｂ  １０３ｃ  １０３ｄ  ガイド小線
１０４ａ  １０４ｂ  １０４ｃ  １０４ｄ  外枠線
２  内箱用折り紙用紙
２０  内箱用折り紙の裏面
２１  内箱用折り紙の表面
２０１ａ  ２０１ｂ  ２０１ｃ  ２０１ｄ  ガイド矢印
２０２ａ  ２０２ｂ  ガイド二重線
２０３ａ  ２０３ｂ  ２０３ｃ  ２０３ｄ  ガイド小線
Ａ  Ｂ  Ｃ  Ｄ  Ｅ  Ｆ  折り線
Ｇ  Ｈ  Ｉ  Ｊ  Ｋ  Ｌ  折り線
Ｘ  外箱
Ｙ  内箱
Ｙｄ  引手部
ＸＹ  完成箱
【図１】
0003226827.tif 000003
【図２】
0003226827.tif 000004
【図３】
0003226827.tif 000005
【図４】
0003226827.tif 000006
【図５】
0003226827.tif 000007
【図６】
0003226827.tif 000008
【図７】
0003226827.tif 000009
【図８】
0003226827.tif 000010
【図９】
0003226827.tif 000011
【図１０】
0003226827.tif 000012
【図１１】
0003226827.tif 000013
【図１２】
0003226827.tif 000014
【図１３】
0003226827.tif 000015